(57)【要約】【課題】曲げ形状記憶性が強い高速フラットケーブル及びその製造方法を提供すること。【解決手段】略同一平面内に配置され、間隔をあけて配列又は近接配列された複数の信号ユニットセットを含み、前記信号ユニットセットが差動信号ユニットセットである曲げ形状記憶性が強い高速フラットケーブルであって、接着剤層と２つの折り曲げ複合層を更に含み、２つの折り曲げ複合層は前記信号ユニットセットを取り囲み；前記接着剤層は、２つの折り曲げ複合層の間に位置し、なお信号ユニットセット周囲の折り曲げ複合層が相互に接着し；前記折り曲げ複合層は、順次接着した内絶縁膜層と折り曲げ金属箔層と外絶縁膜層とを包括する。この高速フラットケーブルは曲げ形状記憶性が強く、折り曲げられた後も跳ね返りをせず、複数回の折り曲げが可能で、折り曲げると同時に信号の高速伝送にも影響を与えず、組み立て過程に遭遇する困難を効果的に解決することで、製造効率がアップする等の利点を有する。【選択図】図２
2018081905.tif 000002
【特許請求の範囲】
【請求項１】
略同一平面内に配置され、間隔をあけて配列又は近接配列された複数の信号ユニットセットを含み、前記信号ユニットセットが差動信号ユニットセットである曲げ形状記憶性が強い高速フラットケーブルであって、
接着剤層と２つの折り曲げ複合層を更に含み、前記２つの折り曲げ複合層は前記信号ユニットセットを取り囲み；前記接着剤層は、前記２つの折り曲げ複合層の間に位置し、前記信号ユニットセット周囲の前記折り曲げ複合層が相互に接着し；前記折り曲げ複合層は、順次接着した内絶縁膜層と折り曲げ金属箔層と外絶縁膜層とを包括する
ことを特徴とする曲げ形状記憶性が強い高速フラットケーブル。
【請求項２】
前記金属箔層に使用される金属箔は、アルミ箔、銅箔、銀箔又は金箔である
請求項１に記載の曲げ形状記憶性が強い高速フラットケーブル。
【請求項３】
前記金属箔層に使用される金属箔は、アルミ箔である
請求項１に記載の曲げ形状記憶性が強い高速フラットケーブル。
【請求項４】
前記折り曲げ複合層が最外側の信号ユニットセットの外側において一つのセクションを横方向に延伸し、且つ互いに接着する
請求項１に記載の曲げ形状記憶性が強い高速フラットケーブル。
【請求項５】
前記外絶縁膜層の幅及び前記内絶縁膜層の幅がいずれも前記折り曲げ金属箔層よりやや大きく、前記折り曲げアルミ箔と外部との接触を遮断し；又は前記折り曲げ複合層の両側接着部位に絶縁塗料或いは絶縁性接着剤を塗布して前記折り曲げ金属箔層と外部との接触を遮断する
請求項１に記載の曲げ形状記憶性が強い高速フラットケーブル。
【請求項６】
前記差動信号ユニットセットは、第１芯線と、第１アース線と、前記第１芯線及び前記第１アース線を被覆する第１絶縁遮蔽層とを含み、前記第１芯線が２本で、また各前記第１芯線は第１導体と前記第１導体を被覆する第１縦方向の絶縁体とを含み；又は前記第１芯線が１本で、２本の第１導体と、前記２本の第１導体を被覆し、また前記２本の第１導体を分離した第１縦方向の絶縁体を含む
請求項１に記載の曲げ形状記憶性が強い高速フラットケーブル。
【請求項７】
前記第１絶縁遮蔽層は、アルミ箔マイラー層である
請求項６に記載の曲げ形状記憶性が強い高速フラットケーブル。
【請求項８】
前記第１アース線は、１本で、前記第２芯線の一側に配置され；又は前記第１アース線は、２本で、前記第１芯線の上下側或いは左右側に対称的に分布する
請求項３に記載の曲げ形状記憶性が強い高速フラットケーブル。
【請求項９】
前記外絶縁膜層及び前記内絶縁膜層は、機械による曲げ形状記憶性を増強できる絶縁材料である
請求項１に記載の曲げ形状記憶性が強い高速フラットケーブル。
【請求項１０】
請求項１ないし９のいずれかに記載の曲げ形状記憶性が強い高速フラットケーブルの製造方法であって、
第１芯線を押し出し、前記第１芯線と第１アース線の外周に第１絶縁遮蔽層を巻いて被覆し、差動信号ユニットセットを構成するステップ１と、
ステップ１で製作した前記差動信号ユニットセットを平行に配列し、内絶縁膜層上に接着剤層を塗布し、前記接着剤層を有する側が信号ユニットセットに近く、前記内絶縁膜層を平行に配列している前記信号ユニットセット上に圧延するステップ２と、
折り曲げ金属箔層を接着剤で接着すると共に前記内絶縁膜層上に圧延するステップ３と、
外絶縁膜層を接着剤で接着すると共に前記折り曲げ金属箔層上に圧延するステップ４と、を含む
ことを特徴とする曲げ形状記憶性が強い高速フラットケーブルの製造方法。
【請求項１１】
制御信号を有する曲げ形状記憶性が強い高速フラットケーブルであって、
請求項１ないし９のいずれかに記載の曲げ形状記憶性が強い高速フラットケーブルにおいて、信号ユニットセットは少なくとも１個の制御信号ユニットセットを更に含み、また差動信号ユニットセットと制御信号ユニットセットの間が任意に配列される
ことを特徴とする制御信号を有する曲げ形状記憶性が強い高速フラットケーブル。
【請求項１２】
前記制御信号ユニットセットは、第２芯線を包括し、前記第２芯線が第２導体と、前記第２導体を被覆する第２縦方向の絶縁体とを含み；前記第２芯線の外周に第２絶縁遮蔽層を被覆する
請求項１１に記載の制御信号を有する曲げ形状記憶性が強い高速フラットケーブル。
【請求項１３】
前記第２絶縁遮蔽層は、アルミ箔マイラー層である
請求項１２に記載の制御信号を有する曲げ形状記憶性が強い高速フラットケーブル。
【請求項１４】
前記第２絶縁遮蔽層内に少なくとも１本の第２アース線を更に被覆する
請求項１２に記載の制御信号を有する曲げ形状記憶性が強い高速フラットケーブル。
【請求項１５】
前記制御信号ユニットセットは、少なくとも５個の制御信号ユニットセットを包括し、前記制御信号ユニットセットが５個ごとに隣り合って配列され且つ多くても５個が隣り合って配列される
請求項１１に記載の制御信号を有する曲げ形状記憶性が強い高速フラットケーブル。
【請求項１６】
制御信号を有する曲げ形状記憶性が強い高速フラットケーブルの製造方法であって、
第１芯線を押し出し、前記第１芯線と第１アース線の外周に第１絶縁遮蔽層を巻いて被覆し、差動信号ユニットセットを構成するステップ１と、
第２芯線を押し出し、前記第２芯線と第２アース線の外周に第２絶縁遮蔽層を巻いて被覆し、制御信号ユニットセットを構成するステップ２と、
ステップ１、ステップ２で製作した前記差動信号ユニットセット、前記制御信号ユニットセットを平行に配列して信号ユニットセットを構成し、前記信号ユニットセットの上下両側に内絶縁膜層に置き、前記内絶縁膜層上に接着剤層を塗布し、前記接着剤層を有する側が前記信号ユニットセットに近く、前記内絶縁膜層を平行に配列された前記信号ユニットセット上に圧延するステップ３と、
折り曲げ金属箔層を接着剤で接着すると共に前記内絶縁膜層上に圧延するステップ４と、
外絶縁膜層を接着剤で接着すると共に前記折り曲げ金属箔層上に圧延するステップ５と、を含む
ことを特徴とする制御信号を有する曲げ形状記憶性が強い高速フラットケーブルの製造方法。
【発明の詳細な説明】
【技術分野】
【０００１】
本発明は、通信線材分野に関し、特に、曲げ形状記憶性が強い高速フラットケーブル、並びに、制御信号を有する曲げ形状記憶性が強い高速フラットケーブルと、それらの製造方法に関する。
【背景技術】
【０００２】
高速フラットケーブルは、一般的に差動信号ユニットセットと、アース線と、信号ユニットセットとアース線を被覆するシールド絶縁膜とを含む。現在、電子機器の伝送速度及びデータ保存量の絶え間ない向上と、同時に機器内部の配置空間が益々小さくなるにつれ、各素子・デバイスの間に益々隙がなくなり、高速フラットケーブルがデータの伝送に影響を与えないという前提において、任意に折り曲げることができ、なお跳ね返りできないよう要求されている。
【０００３】
従来の高速フラットケーブルの厚さは比較的厚く、一般的に１ｍｍ以上ある。普遍的に曲げ形状記憶性が悪いことや容易に跳ね返りする等といった欠点が存在することで、取り付け過程中の難易度が大きくなる状況に至り、同時に何度も折り曲げられた後のデータ伝送性能が影響を受け、サーバー、ワークステーション、交換機、基地局等の電子機器の要求を満たすことができなかった。また、従来の高速フラットケーブルは、識別機能が悪いことで、システム全体の稼働、識別が遅くなること等といった欠点もある。
【発明の概要】
【発明が解決しようとする課題】
【０００４】
上記技術的な課題を解決するため、本発明の目的は、曲げ形状記憶性が強く、厚さも薄く、跳ね返りをしない高速フラットケーブルを提供することである。
【０００５】
本発明の別の目的は、高速フラットケーブルの曲げ形状記憶機能を踏まえ、システム稼働及び識別機能を効果的に向上できる制御信号を有する高速フラットケーブルを提供することである。
【課題を解決するための手段】
【０００６】
上記目的を達成するため、本発明で提出する技術的解決策としては、略同一平面内に配置され、間隔をあけて配列又は近接配列された複数の信号ユニットセットを含み、前記信号ユニットセットが差動信号ユニットセットである曲げ形状記憶性が強い高速フラットケーブルであって、接着剤層と２つの折り曲げ複合層を更に含み、２つの折り曲げ複合層は前記信号ユニットセットを取り囲み；前記接着剤層は、２つの折り曲げ複合層の間に位置し、なお信号ユニットセット周囲の折り曲げ複合層が相互に接着し；前記折り曲げ複合層は、順次接着した内絶縁膜層と折り曲げ金属箔層と外絶縁膜層とを包括することを特徴とする。
【０００７】
更に、前記金属箔層に使用される金属箔としては、アルミ箔、銅箔、銀箔、金箔及びその合金箔等が挙げられるがこれに限定されず、アルミ箔が好適である。
【０００８】
更に、前記内絶縁膜層、折り曲げ金属箔層及び外絶縁膜層間の接着が接着剤で接着し、接着剤としてはポリエステル、ポリイミド、ポリアミドイミド、ポリテトラフルオロエチレン、ポリプロピレン、ポリエチレン、ポリフェニレンスルフィド、ポリエチレンナフタラート、ポリカーボネート、シリコーンゴム、エチレンプロピレンジエンゴム、ポリウレタン、アクリル酸メチル、有機シリコーン、天然ゴム、エポキシ樹脂及び合成ゴム接着剤が挙げられるがこれに限定されない。
【０００９】
更に、前記折り曲げ複合層が最外側の信号ユニットセットの外側において一つのセクションを横方向に延伸し、且つ互いに接着し；前記外絶縁膜層の幅及び内絶縁膜層の幅がいずれも折り曲げ金属箔層よりやや大きく、折り曲げアルミ箔と外部との接触を遮断し；又は折り曲げ複合層の両側接着部位に絶縁塗料或いは絶縁性接着剤を塗布して折り曲げ金属箔層と外部との接触を遮断する。
【００１０】
更に、前記差動信号ユニットセットは、第１芯線と、第１アース線と、第１芯線及び第１アース線を被覆する第１絶縁遮蔽層とを含み、前記第１芯線が２本で、なお各第１芯線は第１導体と第１導体を被覆する第１縦方向の絶縁体とを含み；又は前記第１芯線が１本で、２本の第１導体と、２本の第１導体を被覆し、なお２本の第１導体を分離した第１縦方向の絶縁体を含み；好適には、前記第１絶縁遮蔽層はアルミ箔マイラー層である。
【００１１】
更に、前記第１アース線は、１本で、第２芯線の一側に配置され；又は前記第１アース線は、２本で、第１芯線の上下側或いは左右側に対称的に分布する。
【００１２】
更に、前記外絶縁膜層及び内絶縁膜層は、機械による曲げ形状記憶性を増強できる絶縁材料、例えばＰＥＴ、ＰＦＡ、ＦＥＰ等を用いる。
【００１３】
本発明は、上記高速フラットケーブルの製造方法を更に包括し、
第１芯線を押し出し、第１芯線と第１アース線の外周に第１絶縁遮蔽層を巻いて被覆し、差動信号ユニットセットを構成するステップ１と、
ステップ１で製作した差動信号ユニットセットを平行に配列し、内絶縁膜層上に接着剤層を塗布し、接着剤層を有する側が信号ユニットセットに近く、内絶縁膜層を平行に配列している信号ユニットセット上に圧延するステップ２と、
折り曲げ金属箔層を接着剤で接着すると共に内絶縁膜層上に圧延するステップ３と、
外絶縁膜層を接着剤で接着すると共に折り曲げ金属箔層上に圧延するステップ４と、
を含むことを特徴とする。
【００１４】
システム稼働及び識別機能を向上させるため、本発明は制御信号を有する曲げ形状記憶性が強い高速フラットケーブルを更に提供し、上記高速ケーブルを踏まえ、信号ユニットセットは少なくとも１個の制御信号ユニットセットを更に含み、なお差動信号ユニットセットと制御信号ユニットセットの間が任意に配列されることを特徴とする。
【００１５】
更に、前記制御信号ユニットセットは、第２芯線を包括し、第２芯線が第２導体と、第２導体を被覆する第２縦方向の絶縁体とを含み；前記第２芯線の外周に第２絶縁遮蔽層を被覆し；好適には、前記第２絶縁遮蔽層はアルミ箔マイラー層である。
【００１６】
更に、前記第２絶縁遮蔽層内に少なくとも１本の第２アース線を更に被覆する。
【００１７】
更に、前記制御信号ユニットセットは、少なくとも５個の制御信号ユニットセットを包括し、前記制御信号ユニットセットが５個ごとに隣り合って配列され且つ多くても５個が隣り合って配列される。
【００１８】
本発明は、上記制御信号を有する高速フラットケーブルの製造方法を更にも含み、
第１芯線を押し出し、第１芯線と第１アース線の外周に第１絶縁遮蔽層を巻いて被覆し、差動信号ユニットセットを構成するステップ１と、
第２芯線を押し出し、第２芯線と第２アース線の外周に第２絶縁遮蔽層を巻いて被覆し、制御信号ユニットセットを構成するステップ２と、
ステップ１、ステップ２で製作した差動信号ユニットセット、制御信号ユニットセットを平行に配列して信号ユニットセットを構成し、信号ユニットセットの上下両側に内絶縁膜層に置き、内絶縁膜層上に接着剤層を塗布し、接着剤層を有する側が信号ユニットセットに近く、内絶縁膜層を平行に配列された信号ユニットセット上に圧延するステップ３と、
折り曲げ金属箔層を接着剤で接着すると共に内絶縁膜層上に圧延するステップ４と、
外絶縁膜層を接着剤で接着すると共に折り曲げ金属箔層上に圧延するステップ５と、
を含むことを特徴とする。
【発明の効果】
【００１９】
従来技術に比べると、本発明に係る曲げ形状記憶機能が強い高速フラットケーブル及びその製造方法が持つ有益な効果としては、
１）折り曲げ複合層を設けることによって、フラットケーブルの折り曲げ加工性を効果的に向上し、高速フラットケーブルが４５度、９０度、１８０度等の各種角度の折り曲げ或いは複数回の折り曲げを実現させることができ、なお折り曲げると同時に信号の高速伝送にも影響を与えず、曲げ形状記憶性が強く、折り曲げられた後も跳ね返りをしない等の利点を持ち、組み立て過程に遭遇する困難を効果的に解決することで、製造効率をアップし；
２）寿命が長く、テストを経たところ、少なくとも５００回以上の繰り返し折り曲げを経たとしても、信号の電気性能も影響を受けず；
３）好適な形態としては、フラットケーブル内に制御信号ユニットセットを設けることで、システム稼働及び識別機能を効果的に向上し、制御信号の伝送速度も２４Ｇｂｐｓ又はそれよりも高く達することができた。
【図面の簡単な説明】
【００２０】
【図１】本発明に係る高速フラットケーブルを示す模式図
【図２】図１のＡ部位の拡大図
【図３】本発明に係る高速フラットケーブルの間隔をあけない構造を示す断面図
【図４】図３の単一信号ユニットセットの断面図
【図５】本発明に係る高速フラットケーブルの間隔をあける構造を示す断面図
【図６】本発明に係る高速フラットケーブルの抵抗測定図
【図７】本発明に係る高速フラットケーブルの減衰測定図
【図８】本発明に係る高速フラットケーブルの近端クロストーク図
【図９】本発明に係る高速フラットケーブルの遠端クロストークテスト図
【図１０】本発明の実施例１に係る差動信号ユニットセットを示す模式図
【図１１】本発明の実施例２に係る差動信号ユニットセットを示す模式図
【図１２】本発明の実施例３に係る差動信号ユニットセットを示す模式図
【図１３】本発明の実施例４に係る差動信号ユニットセットを示す模式図
【図１４】本発明の実施例５に係る差動信号ユニットセットを示す模式図
【図１５】本発明の実施例６に係る差動信号ユニットセットを示す模式図
【図１６】本発明の実施例７に係る差動信号ユニットセットを示す模式図
【図１７】本発明に係る高速フラットケーブルを４５度に折り曲げた場合の模式図
【図１８】本発明に係る高速フラットケーブルを数回折り曲げた場合の模式図
【図１９】本発明に係る制御信号を有する高速フラットケーブルを示す模式図
【図２０】本発明に係る制御信号を有する高速フラットケーブルを示す模式図
【図２１】本発明に係る制御信号を有する高速フラットケーブルを示す模式図
【図２２】本発明の実施例１に係る制御信号ユニットセットを示す模式図
【図２３】本発明の実施例２に係る制御信号ユニットセットを示す模式図
【図２４】本発明の実施例３に係る制御信号ユニットセットを示す模式図
【発明を実施するための形態】
【００２１】
以下、添付図面や実施例を用いて本発明を更に説明する。
【００２２】
電子機器の伝送速度及びデータ保存量の絶え間ない向上、機器内部の配置空間が益々小さくなるにつれ、各素子・デバイスの間に益々隙がなくなり、本発明に係る高速フラットケーブルは、高速フラットケーブルの曲げ形状記憶性能を効果的に向上でき、折り曲げられた後も跳ね返りをせず、折り曲げられると同時に信号の高速伝送に影響を及ぼすことがないため、組み立て過程に遭遇する困難を効果的に解決することで、製造効率をアップする。
【００２３】
具体的には、図１、図２に示すように、本発明に係る高速フラットケーブルは、殆ど同一平面内に配置され、間隔をあけて配列された複数の差動信号ユニットセット１０を含み、２つの折り曲げ複合層２０と接着剤層（図示せず）を更に含み、２個の折り曲げ複合層２０が前記差動信号ユニットセット１０を取り囲み；接着剤層は、２つの折り曲げ複合層２０の間に位置し、なお信号ユニットセット１０周囲の折り曲げ複合層２０を互いに接着し、差動信号ユニットセット１０の間隔部位の２つの折り曲げ複合層２０が接着剤層で接着する。
【００２４】
更に、図１、図２に示すように、折り曲げ複合層２０は順次に接着させる内絶縁膜層２１と折り曲げ金属箔層２２と外絶縁膜層２３とを含み；外絶縁膜層２３及び内絶縁膜層２１は、ＰＥＴ、ＰＦＡ、ＦＥＰ又は機械による曲げ形状記憶性を増強できる他の絶縁材料を使用し、高速フラットケーブルの曲げ形状記憶効果を増強するために用いられる。折り曲げ金属箔層２２は、例えばアルミ箔、銅箔、銀箔、金箔及びその合金箔等の形状記憶性が良好な金属箔を用いることができ、検証を経たところアルミ箔を折り曲げ金属箔層とした曲げ形状記憶効果が最高であった。
【００２５】
本発明は、信号ユニットセットの上下両側に折り曲げ複合層２０を貼り付けることによって、折り曲げ複合層２０が金属箔層の形状記憶機能を十分利用して、フラットケーブルの曲げ形状記憶効果を実現し、高速フラットケーブルを折り曲げた後でも跳ね返りをさせず；同時に金属箔層の上下に外絶縁膜層及び内絶縁膜層を設け、折り曲げ金属箔層に電気性能を持たせず、機械による曲げ形状記憶性能のみを増強し、なお内絶縁膜層２１、外絶縁膜層２３及び折り曲げ金属箔層２２がいずれも比較的薄い寸法を使用し、中間の接着剤も極めて薄い寸法を採用し、フラットケーブル全体の厚さを１ｍｍ未満にさせ、更に内絶縁膜層２１、外絶縁膜層２３を設けると、金属箔層の割れを効果的に防止し、折り曲げ複合層の靭性を増強し、折り曲げ複合層全体をより一層折り曲げやすくさせ、同時にフラットケーブルの寿命を引き延ばすことができる。
【００２６】
検証を経たところ、本発明に係る高速フラットケーブルの折り曲げ回数は、５００回以上に達することができる。本発明の高速フラットケーブルは、４５度（図１７）、９０度、１８０度等の各角度の折り曲げ或いは複数回折り曲げ（図１８）を実現でき、折り曲げると同時に、高速フラットケーブルの電気伝送性能に影響を与えない。この高速フラットケーブルを５００回折り曲げた後のテスト結果は図６−８に示す通りとし、図６が抵抗測定図、図７が減衰測定図、図８が近端クロストーク図であり；図９は、遠端クロストークテスト図であり、テスト結果において５００回折り曲げを経た後、本発明に係る高速フラットケーブルの抵抗変化量が１ｏｈｍ以内で、減衰変化量が０．８ｄＢ以内となり、性能及びその安定性が２４Ｇｂｐｓ伝送速度の要求を満たすことができると示している。
【００２７】
内絶縁膜層、折り曲げ金属箔層と外絶縁膜層間の接着が接着剤で接着し、接着剤としては、ポリエステル、ポリイミド 、ポリアミドイミド、ポリテトラフルオロエチレン、ポリプロピレン、ポリエチレン、ポリフェニレンスルフィド、ポリエチレンナフタラート、ポリカーボネート、シリコーンゴム、エチレンプロピレンジエンゴム、ポリウレタン、アクリル酸メチル、有機シリコーン、天然ゴム、エポキシ樹脂と合成ゴム接着剤等の接着剤が挙げられる(ただし、これに限定されない)。
【００２８】
表面及び両側のアルミ箔が機器と接触したことにより短絡に至ることを防止するため、図３、図５に示すように、折り曲げ複合層の最外側の信号ユニットセットの外側において一つのセクションを横方向に延伸し、且つ互いに接着することで、絶縁役割を担う。なお外絶縁膜層の幅及び内絶縁膜層の幅がいずれも折り曲げ金属箔層よりやや大きく、折り曲げアルミ箔と外部との接触を遮断し；２つの折り曲げ複合層の両側接着部位に絶縁塗料或いは絶縁性接着剤を塗布することによって折り曲げ金属箔層と外部との接触も遮断できる。
【００２９】
図５に示す実施例と図３に示す実施例の相違点は、差動信号ユニットセット１０間が近接配列され、２つの折り曲げ複合層２０が前記複数の差動信号ユニットセットを取り囲み、接着剤層が２つの折り曲げ複合層２０の間に位置し、且つ信号ユニットセット周囲の折り曲げ複合層２０を互いに接着することである。
【００３０】
更に、図１０乃至図１６に示すように、差動信号ユニットセット１０は、第１芯線１１と、第１アース線１２と、第１芯線１１及び第１アース線１２を被覆する第１絶縁遮蔽層１３とを含み、前記第１芯線が２本で、なお各第１芯線は第１導体と第１導体を被覆する縦方向の絶縁体とを含み、第１絶縁遮蔽層１３によって遮蔽及び絶縁を実現し、好適には、前記第１絶縁遮蔽層１３はアルミ箔マイラー層であり；又は前記第１芯線が１本で、２本の第１導体と、２本の第１導体を被覆し、なお２本の第１導体を分離した縦方向の絶縁体を含み；好適には、前記第１絶縁遮蔽層はアルミ箔マイラー層である。前記アース線１２は、芯線１１の近傍に置かれ、アース線１２が１本の場合、芯線１１の一側に配置され、例えば１本の芯線１１の左側、右側、上側、下側又は２本の芯線１１の左側、右側、上側、下側に配置され；アース線１２が２本の場合、芯線１１の上下側或いは左右側に対称的に分布され；第１絶縁遮蔽層１３は、芯線１１及びアース線１２を被覆し、この７種類の差動信号ユニットセットがいずれも図３、図５に示す実施例に用いらせることができる。
【００３１】
高速フラットケーブルのシステム稼働及び識別機能を向上させるため、本発明は制御信号を有する曲げ形状記憶性が強い高速フラットケーブルの技術的解決策を更に提供し、図１６、図１７に示すように、上記高速ケーブルを踏まえ、信号ユニットセットは少なくとも１個の制御信号ユニットセット３０を更に含み、なお差動信号ユニットセット１０と制御信号ユニットセット３０の間が任意に配列され；制御信号ユニットセット３０と差動信号ユニットセット１０の数量は、需要に応じて設けることができ、差動信号ユニットセット１０により信号の高速伝送を実現すると共に制御信号ユニットセット３０により低周波信号を伝送し、高速フラットケーブルのシステム稼働及び識別機能を実現し、例えば、制御信号を通じてＬＥＤ灯に接続し、ＬＥＤ灯が点灯すれば、信号がつながっていることを示す。好適には、制御信号ユニットセット３０に抵抗制御があり、制御信号又は片側抵抗を伝送するために用いられ、このような設置を採用すると、制御信号の伝送速度も２４Ｇｂｐｓ或いはそれよりも高く達することができる。
【００３２】
本実施例の図２０及び図２１内で示されるのは、１個の差動信号ユニットセット及び５個の制御信号ユニットセットで、なお制御信号ユニットセットは少なくとも５個の制御信号ユニットセットを包括し、制御信号ユニットセットが５個ごとに隣り合って配列され且つ多くても５個が隣り合って配列され、この５個の制御信号ユニットセットはいずれも単一抵抗を有するもので、２本を１組の差動ペアとして高周波信号を伝送することが実現でき、単独で低周波信号を伝送することもでき、且つ各芯線が単独で１本のアース線を有し、大地に接続することで、干渉を防止できる。
【００３３】
図２１に示す実施例と図２０に示す実施例の相違点は、信号ユニットセットが間隔をあけて配列され、２つの折り曲げ複合層２０が前記複数の信号ユニットセットを取り囲み、接着剤層が２つの折り曲げ複合層２０の間に位置し、また信号ユニットセット周囲の折り曲げ複合層２０を互いに接着し、信号ユニットセットの間隔部位の２つの折り曲げ複合層２０を接着剤層で接着させることである。
【００３４】
図２２に示す制御信号ユニットセット３の実施例１において、制御信号ユニットセット３０は、第２芯線を包括し、第２芯線が第２導体３１と、第２導体３１を被覆する第２縦方向絶縁体３２とを含む。
【００３５】
図２３に示す制御信号ユニットセット３の実施例２において、制御信号ユニットセット３０は、第２芯線と第２絶縁遮蔽層３３とを含み、前記第２芯線が第２導体３１と、第２導体３１を被覆する第２縦方向の絶縁体３２とを含み、前記第２絶縁遮蔽層３３が第２芯線を被覆し；第２絶縁遮蔽層３３は、好適にはアルミ箔マイラー層である。
【００３６】
図２４に示す制御信号ユニットセット３の実施例３において、制御信号ユニットセット３は、第２芯線と第２アース線３４と第２絶縁遮蔽層３３とを含み、前記第２芯線が第２導体３１と、第２導体３１を被覆する第２縦方向の絶縁体３２とを含み、前記第２アース線３４が第２芯線の一側に設けられ、なお第２芯線に平行となり、前記第２絶縁遮蔽層３３が第２芯線及び第２アース線３４を被覆し；第２絶縁遮蔽層３３は、好適にはアルミ箔マイラー層である。
【００３７】
図１２乃至図２４に示す制御信号ユニットセット３は、いずれも図２０、図２１に示す実施例に使用させることができる。
【００３８】
本発明は、上記制御信号を有する曲げ形状記憶性が強い高速フラットケーブルの製造方法を更にも含み、
第１芯線を押し出し、第１芯線と第１アース線の外周に第１絶縁遮蔽層を巻いて被覆し、差動信号ユニットセットを構成するステップ１と、
第２芯線を押し出し、第２芯線の外周に第２絶縁遮蔽層を巻いて被覆し、制御信号ユニットセットを構成するステップ２と、
ステップ１、ステップ２で製作した差動信号ユニットセット、制御信号ユニットセットを平行に配列して信号ユニットセットを構成し、信号ユニットセットの上下両側に内絶縁膜層に置き、内絶縁膜層上に接着剤層を塗布し、接着剤層を有する側が信号ユニットセットに近く、内絶縁膜層を平行に配列された信号ユニットセット上に圧延するステップ３と、
折り曲げ金属箔層を接着剤で接着すると共に内絶縁膜層上に圧延するステップ４と、
外絶縁膜層を接着剤で接着すると共に折り曲げ金属箔層上に圧延するステップ５と、
を含むことを特徴とする。
【００３９】
本発明では好ましい実施例を前述の通り開示したが、これらは決して本発明に限定するものではなく、当該技術を熟知する者なら誰でも、上記開示した技術内容を利用して均等な実施例として変更又は変形できる。本発明の技術的解決策の内容から逸脱することなく、本発明の技術に基づいて実質的に以上の実施例に対し行う各種修正、均等物による置換及び変形は、本発明の技術的解決策の保護範囲に属する。
【産業上の利用可能性】
【００４０】
本発明によると、製造効率の向上、製品の長寿命化、システム稼働及び識別機能の向上、制御信号の高速度化が得られ、産業上有用である。
【図１】
2018081905.tif 000003
【図２】
2018081905.tif 000004
【図３】
2018081905.tif 000005
【図４】
2018081905.tif 000006
【図５】
2018081905.tif 000007
【図６】
2018081905.tif 000008
【図７】
2018081905.tif 000009
【図８】
2018081905.tif 000010
【図９】
2018081905.tif 000011
【図１０】
2018081905.tif 000012
【図１１】
2018081905.tif 000013
【図１２】
2018081905.tif 000014
【図１３】
2018081905.tif 000015
【図１４】
2018081905.tif 000016
【図１５】
2018081905.tif 000017
【図１６】
2018081905.tif 000018
【図１７】
2018081905.tif 000019
【図１８】
2018081905.tif 000020
【図１９】
2018081905.tif 000021
【図２０】
2018081905.tif 000022
【図２１】
2018081905.tif 000023
【図２２】
2018081905.tif 000024
【図２３】
2018081905.tif 000025
【図２４】
2018081905.tif 000026